(57)【要約】【課題】独立柱の材質を問わず容易に施工することができ、沓石を模した化粧材を精度良く安定的に取り付けることのできる、意匠性及び施工性の両面に優れた独立柱の柱脚構造を提供する。【解決手段】基礎３に連結された独立柱１の柱脚部（柱脚金物２の筒状部２４）に、半割体６０同士の抱合によって筒状になる柱脚カバー６が嵌装される。その柱脚カバー６の側面に、半割体７０同士の抱合によって裾拡がりの錐台形状部を構成する化粧下地スカート７が取り付けられる。上記化粧下地スカート７の側面には、外方へ張り出す化粧材受片８が設けられており、化粧材５が、上記化粧材受片８に載置された状態で、化粧下地スカート７の錐台形状部に接着剤９を介して貼設される。【選択図】図１
2008267007.tif 000002
【特許請求の範囲】
【請求項１】
基礎に連結された独立柱の柱脚部に、半割体同士の抱合によって筒状になる柱脚カバーが、柱脚部の側面を囲むようにして取り付けられ、
上記柱脚カバーの側面に、半割体同士の抱合によって裾拡がりの錐台形状部を構成する化粧下地スカートが取り付けられ、
上記化粧下地スカートの側面に、外方へ張り出す化粧材受片が設けられ、
化粧材が、上記化粧材受片に載置された状態で、化粧下地スカートの錐台形状部に接着剤を介して貼設されたことを特徴とする独立柱の柱脚構造。
【請求項２】
柱脚部は、木材からなる独立柱と基礎とを連結する柱脚金物に一体的に設けられた一様断面の筒状部によって構成されることを特徴とする請求項１に記載の独立柱の柱脚構造。
【請求項３】
柱脚部は、一様断面の鋼管からなる独立柱の下端近傍部分によって構成されることを特徴とする請求項１に記載の独立柱の柱脚構造。
【請求項４】
柱脚カバーと化粧下地スカートは、それぞれの半割体の合わせ位置を独立柱の軸回りに９０度ずらして抱合されたことを特徴とする請求項１ないし３のいずれかに記載の独立柱の柱脚構造。
【請求項５】
床面よりも下方に位置する基礎に、適宜の連結手段を介して独立柱の下端部を連結し、
上記独立柱または連結手段の一部に設けられた一様断面の柱脚部に、半割体同士の抱合によって筒状になる柱脚カバーを取り付けて柱脚部に仮止めし、
上記柱脚カバーの外側面に、半割体同士の抱合によって裾拡がりの錐台形状部を構成する化粧下地スカートを取り付け、
柱脚カバー及び化粧下地スカートを柱脚部の側面にビスで共綴りして固定した後、
上記化粧下地スカートの外側面から張り出して形成された化粧材受片に化粧材を載置した状態で、該化粧材を化粧下地スカートの錐台形状部に接着剤を介して貼設し、
上記化粧材の下端を隠す位置に床面を仕上げることを特徴とする独立柱の柱脚施工方法。
【請求項６】
半割体同士の抱合によって筒状になる柱脚カバーと、
上記柱脚カバーの側面に嵌装される半割体同士の抱合によって裾拡がりの錐台形状部を構成する化粧下地スカートとを具備し、
上記化粧下地スカートの側面には、外方へ張り出す化粧材受片が設けられたことを特徴とする柱脚の化粧下地部材。
【発明の詳細な説明】
【技術分野】
【０００１】
本発明は、建物の玄関ポーチやピロティ、テラス等に立設される独立柱の柱脚に、沓石を模した化粧仕上げを施す場合の柱脚構造と柱脚施工方法、及び、該構造・方法に用いる柱脚の化粧下地部材に関する。
【背景技術】
【０００２】
玄関ポーチやピロティ等に独立柱（周囲に壁体が接続されずに単独で立つ柱）を立設する場合、その柱脚が沓石を介して支持されるように施工することが多い。しかし、自然石やコンクリート等からなる沓石を地盤面に据えて、その上に独立柱を立設しただけでは、水平力や揚力に対して構造的に脆弱になる。そこで、独立柱の柱脚を地中の基礎に連結した上で、該柱脚部分の周囲に沓石を模した化粧仕上げを施す構造が提案されている（例えば、特許文献１〜３等）。
【０００３】
特許文献１に記載の柱脚構造は、地中に埋設された基礎の天端に、角形鋼管からなる柱を連結し、その柱脚の周囲に２個ないし４個程度に分割されたレジンコンクリート製のカバー材（化粧材）を側方から嵌装して、沓石風の化粧仕上げとしたものである。
【０００４】
また、特許文献２及び３に記載の柱脚構造は、角錐台形状をなす鋳鉄製やアルミダイキャスト製の束石（沓石）の中心に貫通孔を形成し、角形鋼管からなる柱をその貫通孔に挿通させて、柱脚を地中の基礎に連結したものである。
【特許文献１】実公昭６３−９７２２号公報
【特許文献２】実開昭６３−２３４０１号公報
【特許文献３】特開平７−１８７３２号公報
【発明の開示】
【発明が解決しようとする課題】
【０００５】
特許文献２及び３記載の柱脚構造は、柱脚を沓石の貫通孔に挿通させたままの状態で柱を建て込まなければならないので、柱の立ち調整や基礎との連結作業を行いにくい。また、基礎の天端位置が外部床の仕上面に近いと、柱脚と基礎との連結部分に沓石が重なる納まりになり、柱に挿装された沓石が邪魔になって基礎との連結作業に支障をきたすおそれもある。
【０００６】
一方、特許文献１に記載の柱脚構造は、柱に沓石風の化粧材を後付けする構造であるため、上記特許文献２及び３記載の柱脚構造に比べて柱の建て込み作業や基礎との連結作業は行いやすい。しかし、化粧材の断面形状が複雑になるから、化粧材に自然石や人造石を利用する場合は、その加工に手間やコストがかかる。また、自然石等からなる化粧材は重量が大きいので、それを精度良く位置決めして安定的に支持するための下地構造等にも改善の余地がある。
【０００７】
さらに、上記特許文献１〜３記載の柱脚構造は、いずれも柱に角形鋼管を用いているが、柱に木材を用いた場合は、柱と基礎との連結構造も変わるので、それに応じた沓石の納まりも検討する必要がある。
【０００８】
本発明は、上記のような事情に鑑みてなされたもので、独立柱の材質が鋼材、木材のいずれであっても合理的に施工することができ、かつ、沓石を模した化粧材を精度良く安定的に取り付けることができる、意匠性及び施工性の両面に優れた独立柱の柱脚構造と柱脚の施工方法、及び該構造・方法に用いる柱脚の化粧下地部材を提供するものである。
【課題を解決するための手段】
【０００９】
本発明に係る独立柱の柱脚構造は、基礎に連結された独立柱の柱脚部に、半割体同士の抱合によって筒状になる柱脚カバーが、柱脚部の側面を囲むようにして取り付けられ、上記柱脚カバーの側面に、半割体同士の抱合によって裾拡がりの錐台形状部を構成する化粧下地スカートが取り付けられ、上記化粧下地スカートの側面に、外方へ張り出す化粧材受片が設けられ、化粧材が、上記化粧材受片に載置された状態で、化粧下地スカートの錐台形状部に接着剤を介して貼設されたことを特徴とするものである。
【００１０】
本発明において、柱脚部とは、木材からなる独立柱と基礎とを連結する柱脚金物に一体的に設けられた一様断面の筒状部によって構成されるか、あるいは、一様断面の鋼管からなる独立柱の下端近傍部分によって構成されるものである。
【００１１】
この柱脚構造は、柱を建て込んでから施工することができる。化粧材は、化粧下地スカートに形成された化粧材受片に載置された状態で、裾拡がりの錐台形状部に接着されるので、化粧材の位置決めが容易で、保持状態も安定する。また、化粧材の断面形状も単純化されるので、化粧材に自然石や人造石を利用する場合でも、化粧材の加工手間やコストを削減することができる。
【００１２】
また、上記柱脚構造において、柱脚カバーと化粧下地スカートが、それぞれの半割体の合わせ位置を独立柱の軸回りに９０度ずらして抱合されたものとすることにより、柱脚カバー及び化粧下地スカートの取付状態がさらに良好になる。
【００１３】
本発明に係る独立柱の柱脚施工方法は、上記柱脚構造の合理的な施工手順に沿うものである。すなわち、床面よりも下方に位置する基礎に、適宜の連結手段を介して独立柱の下端部を連結し、上記独立柱または連結手段の一部に設けられた一様断面の柱脚部に、半割体同士の抱合によって筒状になる柱脚カバーを取り付けて柱脚部に仮止めし、上記柱脚カバーの外側面に、半割体同士の抱合によって裾拡がりの錐台形状部を構成する化粧下地スカートを取り付け、柱脚カバー及び化粧下地スカートを柱脚部の側面にビスで共綴りして固定した後、上記化粧下地スカートの外側面から張り出して形成された化粧材受片に化粧材を載置した状態で、該化粧材を化粧下地スカートの錐台形状部に接着剤を介して貼設し、上記化粧材の下端を隠す位置に床面を仕上げることを特徴とする。この柱脚施工方法によれば、重量の大きい化粧材を用いる場合であっても、効率的に施工することができ、かつ、化粧材も精度良く取り付けることができる。
【００１４】
本発明に係る柱脚の化粧下地部材は、上記柱脚構造または柱脚施工方法を実施するために最適化された部材であって、半割体同士の抱合によって筒状になる柱脚カバーと、上記柱脚カバーの側面に嵌装される半割体同士の抱合によって裾拡がりの錐台形状部を構成する化粧下地スカートとを具備し、上記化粧下地スカートの側面には、外方へ張り出す化粧材受片が設けられたことを特徴とする。
【発明の効果】
【００１５】
上述のように構成される本発明の独立柱の柱脚構造及び柱脚施工方法は、柱脚部に、側方から柱脚カバーと化粧下地スカートを取り付け、そこに化粧材を接着するものである。柱脚部は、一定の寸法範囲が一様の断面形状に形成されていればよく、したがって、独立柱には鋼材、木材のいずれも利用することができる。独立柱を先に建て込んだ状態で施工することができるので、施工が容易である。また、化粧下地スカートには化粧材受片が設けられているので、化粧材は精度良く、かつ安定した状態で保持される。また、基礎の深さや、基礎と柱との連結位置、床面の仕上げレベルなどが様々に変化しても、柱脚カバーの取付位置を調整すれば、所望の位置に化粧材を取り付けることができる。
【発明を実施するための最良の形態】
【００１６】
以下、本発明の実施形態に係る柱脚構造を、その施工手順に沿って説明する。
【実施例１】
【００１７】
図１〜図５は、本発明の第一実施形態を示す。例示の独立柱１は、玄関ポーチ等に立設されて庇を支持する柱である。この独立柱１には、１２ｃｍ角程度の正方形断面を有する木材が利用されており、その表面には化粧仕上材１１が貼設される。独立柱１の下端部は、鋼製の柱脚金物２を介して、鉄筋コンクリート製の基礎３に連結される。例示形態において、基礎３の天端は外部床４の仕上予定面よりも約２０ｃｍ低い位置に設けられており、独立柱１の下端は柱脚金物２を介して外部床４よりも高い位置に保持される。
【００１８】
柱脚金物２は、図２に示すように、基礎３の天端に載置される水平な底板２１と、平面視十字状に交差して底板２１上に直立する立上部２２と、この立上部２２上に水平に設けられる中底板２３と、中底板２３上に直立する略正方形断面の筒状部２４と、筒状部２４の上端に水平に設けられる柱脚受板２５と、柱脚受板２５上に直立する連結プレート２６とを具備しており、それらが一体的に溶接されている。この柱脚金物２は、底板２１に形成したアンカーボルト挿通孔（図示略）を、基礎３に植設したアンカーボルト３１に挿装してナット締結することにより、基礎３に固定される。独立柱１の下端にはスリット１２が形成されており、このスリット１２に連結プレート２６が挿入される。さらに、独立柱１及び連結プレート２６には、スリット１２に連結プレート２６を挿入した状態で互いに合致する複数個のピン孔１３が形成されており、これらのピン孔１３に側方からドリフトピン２７が嵌挿されて、独立柱１と柱脚金物２とが連結される。
【００１９】
本発明の要部は、基礎３に連結された独立柱１の柱脚部に、自然石等からなる化粧材５を取り付けて沓石風に仕上げるための下地構造にある。本発明において、「柱脚部」とは、独立柱１と基礎３とを連結する部材・部位のうち、外部床４の仕上位置に近接する部材または部位であって、断面形状が概ね一様であり、側面が平坦な部材または部位によって構成されるものとする。すなわち、例示形態にあっては、柱脚金物２の一部をなす筒状部２４が、柱脚部に相当する。
【００２０】
ただし、例示した独立柱１と基礎３との連結構造は一例であって、適当な「柱脚部」が得られる限り、独立柱１と基礎３との連結については適宜他の構造に係る金物類を利用することも可能である。また、独立柱１に鋼管を用いる場合は、例えば、独立柱１の下端に溶接したベースプレート（図示せず）を基礎３上のアンカーボルト３１にナット締結するなどして、その下端近傍部分の適当な範囲を、本発明に係る「柱脚部」として利用することができる。
【００２１】
柱脚部を沓石風に仕上げるための下地構造は、柱脚部の側面を囲むようにして取り付けられる柱脚カバー６と、その外側をさらに囲むようにして取り付けられる化粧下地スカート７とからなる化粧下地部材によって構成される。柱脚カバー６及び化粧下地スカート７は、いずれも、アルミニウム合金やステンレス鋼等からなる金属製の薄板材を加工して形成される。
【００２２】
図２〜図３に示すように、柱脚カバー６は、上面視コ字状をなす一対の半割体６０、６０からなり、それらを抱き合わせると筒状部２４の断面寸法に合致した角筒状となる。これらの半割体６０、６０を、外部床４の仕上位置に合わせて柱脚部（筒状部２４、以下同じ）に嵌装することにより、柱脚部の側面が四面とも被覆される。各半割体６０の一方の側縁部には、抱合時のズレを防ぐために、短冊状の薄板材からなるジョイナー６１が裏側から取り付けられている。抱合状態の柱脚カバー６における各面の四隅近傍と柱脚部には、抱合状態において互いに合致するビス孔６２、２８が、それぞれ形成されている。そして、各半割体６０の中央に位置する幅の広い面に形成されたビス孔６２のうち、例えば下隅の１カ所を利用して仮止め用ビス６３が打込まれ、柱脚カバー６が柱脚部の側面に仮止めされる。
【００２３】
図３〜図４に示すように、化粧下地スカート７も、柱脚カバー６と略同寸の長さに形成された一対の半割体７０、７０を抱き合わせて構成される。図５は、化粧下地スカート７の半割体７０の形状を示す三面図である。各半割体７０は、上垂直部７１と下垂直部７２との間に、外側への張出部分を設けた形状をなしている。上垂直部７１と下垂直部７２とは同一のコ字状断面を有し、抱合状態では柱脚カバー６の外寸に合致した角筒状になる。張出部分は、上垂直部７１の下縁から外側に向かって略水平ないし４５度くらいの下降傾斜で張り出す肩部７３と、肩部７３の端縁から垂直面よりもやや裾拡がりの傾斜で下方に延びる腹部７４と、腹部７４の下縁から内側に向かって略水平に戻り、下垂直部７２の上縁に連続する腰部７５とを有しており、これらが抱合状態において裾拡がりの錐台形状部を構成する。錘台形状部の傾斜角は、垂直面に対して１〜３０度くらいの範囲で任意に設定することができる。各半割体７０の一方の側縁部には、抱合時のズレを防ぐために、短冊状の薄板材からなるジョイナー７６が裏側から取り付けられている。
【００２４】
化粧下地スカート７の半割体７０、７０同士は、その合わせ位置を、柱脚カバー６の半割体６０、６０同士の合わせ位置に対し、軸回りに９０度ずらして嵌装される。上垂直部７１及び下垂直部７２には、化粧下地スカート７の抱合状態で柱脚カバー６のビス孔と合致するビス孔７７が形成されている。これらのビス孔７７に打込まれる固定用ビス７８によって、化粧下地スカート７と柱脚カバー６が柱脚部の側面に共綴りされる。なお、化粧下地スカート７に形成されるビス孔７７のうち、柱脚カバー６の仮止め用ビス６３の位置と重なるところは、予め、仮止め用ビス６３の頭部を逃がし得る大孔として形成されていてもよい。
【００２５】
例示形態に係る化粧下地スカート７においては、腹部７４に化粧材受片８が取り付けられている。化粧材受片８は断面略Ｌ字状に形成され、下向片８１が腹部７４の下部に添設されて、水平片８２を外方に張り出している。化粧下地スカート７の抱合により、水平片８２が柱脚部の四周に同じ高さで連続する。水平片８２上に化粧材５を載置したときの重量で水平片８２が垂れ下がるのを防ぐための補強として、水平片８２の周縁部が下向きに折曲されている。
【００２６】
こうして、柱脚部を囲むように取り付けられた化粧下地スカート７の錘台形状部に、化粧材５が貼着される。図４に示すように、例示形態に係る化粧材５は、４個の分割体として構成されている。各化粧材５は、表裏面ともに平坦な一様の厚さに形成され、化粧下地スカート７の化粧材受片８に底面が載置された状態で、錘台形状部の各面に接着剤９を介して貼設される。化粧材５同士が当接する四隅は、平面視４５度で留め接合される。化粧材５の上面及び底面は、化粧下地スカート７への貼設状態で略水平になるように形成されている。なお、化粧材５の材料には、自然石だけでなく、人造石やポリマーコンクリート等も利用することができる。また、接着剤９の種類については、化粧材５の材料に応じた適切なものを選択する。
【００２７】
化粧下地スカート７に貼着した化粧材５を、例えばロープ等で緊縛して接着剤９が硬化するまで養生しつつ、化粧材５の下端を隠す位置に外部床４を仕上げれば、柱脚部における沓石風の化粧仕上げが完了する。
【実施例２】
【００２８】
図６〜図７は本発明の第二実施形態を示す。この実施形態に係る独立柱１は、テラス等に立設されてバルコニー等を支持する独立柱である。この独立柱１も、上述した第一実施形態に係る独立柱１と同様に木材からなり、その下端部が、鋼製の柱脚金物２を介して鉄筋コンクリート製の基礎３に連結される。ただし、この実施形態では、基礎３の天端と外部床４の仕上面との高低差が１０ｃｍ前後に設定され、それに伴って、柱脚金物２にも背の低いものが用いられている。
【００２９】
柱脚カバー６及び化粧下地スカート７によって柱脚部（筒状部２４）の側面を囲む下地構造は、上述した第一実施形態と同様である。ただし、本実施形態に係る化粧下地スカート７においては、外部床４の仕上げ高さとの関係で、化粧材受片８が下垂直部７２の下縁から外方に張り出している。その他の構成については、第一実施形態と基本的に同様であり、対応する部位・部材に共通の符号を付して詳細な説明は省略する。
【００３０】
以上に述べたように、本発明によれば、柱脚部の側面に柱脚カバー６及び化粧下地スカート７を二重に嵌装することにより、化粧材５を貼着するための下地が構成される。したがって、独立柱１の材質が木材、鋼材のいずれであっても、基礎３との連結箇所の近傍に、断面一様で側面が平坦な部位を確保することさえできれば、そこに納まり良く施工することができる。基礎３の深さや外部床４の仕上げ位置に合わせて、化粧材受片８の取付位置を調整することも容易である。化粧材５は、一様厚さの板状であればよいので、加工手間やコストも削減することができる。
【００３１】
また、柱脚部の断面形状が、例えば八角形や円形であっても、その断面形状に合致した柱脚カバー６及び化粧下地スカート７を用意することにより、同様の納まりで施工することができる。化粧材５の分割数は、柱脚部の断面形状に合わせて、加工しやすい数に設定すればよい。
【００３２】
こうして、意匠性及び施工性の両面に優れた独立柱の柱脚構造及び柱脚施工方法を実現することができる。
【図面の簡単な説明】
【００３３】
【図１】本発明の第一実施形態に係る柱脚構造の半断面・半側面図である。
【図２】図１に示す柱脚構造の施工方法（手順１）を示す斜視図である。
【図３】図１に示す柱脚構造の施工方法（手順２）を示す斜視図である。
【図４】図１に示す柱脚構造の施工方法（手順３）を示す斜視図である。
【図５】図１〜図４に示した化粧下地スカートの形状を示す三面図であり、（ａ）は上面図、（ｂ）は側面図、（ｃ）は縦断面図である。
【図６】本発明の第二実施形態に係る柱脚構造の半断面・半側面図である。
【図７】図６に示した化粧下地スカートの形状を示す三面図であり、（ａ）は上面図、（ｂ）は側面図、（ｃ）は縦断面図である。
【符号の説明】
【００３４】
１  独立柱
２  柱脚金物
２４  筒状部（柱脚部）
３  基礎
４  外部床
５  化粧材
６  柱脚カバー
６０  柱脚カバーの半割体
７  化粧下地スカート
７０  化粧下地スカートの半割体
８  化粧材受片
【図１】
2008267007.tif 000003
【図２】
2008267007.tif 000004
【図３】
2008267007.tif 000005
【図４】
2008267007.tif 000006
【図５】
2008267007.tif 000007
【図６】
2008267007.tif 000008
【図７】
2008267007.tif 000009